(57)【要約】【課題】ディスク装置の故障を招くことなくレンズを確実にクリーニングし得るレンズクリーナを提供する。【解決手段】ディスク装置１０におけるディスククランプ機構２１のクランプ部材２１ａを挿通可能とする挿通孔２ｃが中心部に形成されたディスク本体２と、ディスク本体２の一面（記録面２ａ）に配設された払拭体３ａ〜３ｄを有するクリーニング部３とを備えて構成されている。また、ディスク本体２における一面（記録面２ａ）に粘着部材４が配設されている。【選択図】図６
2008165907.tif 000002
【特許請求の範囲】
【請求項１】
ディスク装置におけるディスククランプ機構のクランプ部材を挿通可能とする挿通孔が中心部に形成されたディスク本体と、当該ディスク本体の一面に配設された払拭体を有するクリーニング部とを備えて構成されているレンズクリーナ。
【請求項２】
前記ディスク本体における前記一面に接着部材が配設されている請求項１記載のレンズクリーナ。
【請求項３】
前記クリーニング部は、前記払拭体を複数備えると共に当該各払拭体が前記ディスク本体の前記一面における当該ディスク本体の中心から同一半径位置において相互に離間するように配設されて構成されている請求項１または２記載のレンズクリーナ。
【請求項４】
前記ディスク本体は、当該ディスク本体の前記中心に対する前記各払拭体の配設位置の方向を特定可能なマークが他面に記されている請求項３記載のレンズクリーナ。
【請求項５】
前記クリーニング部は、布帛を備えて前記払拭体が構成されている請求項１から４のいずれかに記載のレンズクリーナ。
【発明の詳細な説明】
【技術分野】
【０００１】
本発明は、光ピックアップのレンズをクリーニングするレンズクリーナに関するものである。
【背景技術】
【０００２】
この種のレンズクリーナとして、ＣＤプレーヤのピックアップレンズ（以下、「レンズ」ともいう）をクリーニング可能に構成されたレンズクリーナが特開平８−２３５６２８号公報に開示されている。このレンズクリーナは、コンパクトディスクと実質的に同一形状のディスクと、このディスクにおける信号記録面に配設された３つの払拭体とを備えて構成されている。この場合、このレンズクリーナでは、数十本程度の化学繊維製のブラシ毛を束ねた毛束によって上記の払拭体が構成されている。このレンズクリーナによるレンズのクリーニングに際しては、まず、ディスクの信号記録面を光ピックアップと対向させるようにしてレンズクリーナをディスク装置（ＣＤプレーヤ等）にセットする。次いで、ボタン操作によってディスク装置に再生処理を開始させる。この際には、ディスク装置におけるクランプ機構によってディスクがクランプされた状態において回転機構によってレンズクリーナが回転させられる。この結果、ディスクの回転に伴ってピックアップのレンズに各払拭体が順次当接してレンズに付着している塵埃が払拭される。
【特許文献１】特公平８−２３５６２８号公報（第３−５頁、第１，２図）
【発明の開示】
【発明が解決しようとする課題】
【０００３】
ところが、従来のレンズクリーナには、以下の問題点がある。すなわち、従来のレンズクリーナでは、ディスク装置によってディスクが回転させられることでピックアップのレンズに各払拭体を順次当接させて塵埃を払拭する構成が採用されている。このため、従来のレンズクリーナでは、レンズに払拭体が当接した際に、ピックアップに対してレンズクリーナの回転方向に沿った力が加わることに起因して、ピックアップの光軸にずれが生じたり、フォーカス機構等の破損を招いたりするおそれがある。このように、従来のレンズクリーナでは、ディスク装置の故障を招くことなく塵埃を除去するのが困難であるという問題点が存在する。
【０００４】
本発明は、かかる問題点に鑑みてなされたものであり、ディスク装置の故障を招くことなくレンズを確実にクリーニングし得るレンズクリーナを提供することを主目的とする。
【課題を解決するための手段】
【０００５】
上記目的を達成すべく本発明に係るレンズクリーナは、ディスク装置におけるディスククランプ機構のクランプ部材を挿通可能とする挿通孔が中心部に形成されたディスク本体と、当該ディスク本体の一面に配設された払拭体を有するクリーニング部とを備えて構成されている。なお、本発明に係るレンズクリーナには、乾式レンズクリーナおよび湿式レンズクリーナの双方が含まれる。また、本発明における「クランプ部材」とは、ディスク状情報媒体のクランプに際してディスク状情報媒体のディスククランプエリアに当接させられてそのディスク状情報媒体を保持する部材を意味する。
【０００６】
また、本発明に係るレンズクリーナは、前記ディスク本体における前記一面に接着部材が配設されている。なお、本発明における接着部材には、粘着剤で構成された粘着部材や、吸盤等で構成された吸着部材がこれに含まれる。
【０００７】
さらに、本発明に係るレンズクリーナは、前記クリーニング部が前記払拭体を複数備えると共に当該各払拭体が前記ディスク本体の前記一面における当該ディスク本体の中心から同一半径位置において相互に離間するように配設されて構成されている。
【０００８】
また、本発明に係るレンズクリーナは、当該ディスク本体の前記中心に対する前記各払拭体の配設位置の方向を特定可能なマークが前記ディスク本体の他面に記されている。
【０００９】
さらに、本発明に係るレンズクリーナは、前記クリーニング部の前記払拭体が布帛を備えて構成されている。なお、本発明における布帛には、織布および不織布の双方が含まれる。
【発明の効果】
【００１０】
本発明に係るレンズクリーナでは、クランプ部材を挿通可能とする挿通孔が中心部に形成されたディスク本体と、ディスク本体の一面に配設された払拭体を有するクリーニング部とを備えたことにより、レンズクリーナをディスク装置にセットした際に、ディスククランプ機構によるレンズクリーナに対するクランプが阻止される結果、ディスク装置内でのレンズクリーナの回転も阻止される。したがって、ディスクローディング時における初期動作の一環としてクリーニング対象体（レンズ）が移動させられたときに各払拭体のうちのいずれかにクリーニング対象体を擦り付けてクリーニングすることができるため、このレンズクリーナによれば、ディスクを回転させてレンズ（クリーニング対象体）に対して払拭体を順次当接させて塵埃を払拭する構成の従来のレンズクリーナとは異なり、クリーニング対象体に対して回転方向に沿った大きな力が加えられる事態を回避することができるため、ディスク装置の故障を招くことなく、クリーニング対象体に付着している塵埃を確実に除去することができる。
【００１１】
また、本発明に係るレンズクリーナでは、ディスク本体における一面に接着部材を配設したことにより、クリーニング対象体（レンズ）の移動に伴うレンズクリーナの移動が回避されて、各払拭体に対してクリーニング対象体が十分に強い力で押し付けられる。したがって、このレンズクリーナによれば、クリーニング対象体の表面に強固に付着している塵埃を確実に除去することができる。
【００１２】
さらに、本発明に係るレンズクリーナによれば、払拭体を複数備えると共に各払拭体をディスク本体の一面における同一半径位置において相互に離間するように配設してクリーニング部を構成したことにより、ディスク本体の一面に記録されているディスク情報の読み取りが不能となる状態を回避できるため、各種のディスク装置において、レンズクリーナを用いたレンズのクリーニング処理を実行させることができる。
【００１３】
また、本発明に係るレンズクリーナによれば、ディスク本体の中心に対する各払拭体の配設位置の方向を特定可能なマークをディスク本体の他面に記したことにより、ディスク装置におけるディスクトレイに対してレンズクリーナをセットする際に、各払拭体の配設位置を容易に特定させることができる。したがって、各払拭体のいずれに対してもクリーニング対象体（レンズ）が接触しない位置にレンズクリーナがセットされる事態を回避することができる結果、各払拭体のうちの所望の１つに対してクリーニング対象体を確実に接触させてクリーニングすることができる。
【００１４】
さらに、本発明に係るレンズクリーナによれば、布帛を備えて払拭体を構成したことにより、クリーニング対象体（レンズ）が払拭体に対して強く押し付けられたとしても、払拭体にへたりが生じる事態を回避することができるため、複数回に亘って払拭体を利用してクリーニングすることができる。
【発明を実施するための最良の形態】
【００１５】
以下、本発明に係るレンズクリーナの最良の形態について、添付図面を参照して説明する。
【００１６】
最初に、レンズクリーナ１の構成について、図面を参照して説明する。
【００１７】
図１〜３に示すレンズクリーナ１は、本発明に係るレンズクリーナの一例である乾式のレンズクリーナであって、ディスク本体２、クリーニング部３および粘着部材４を備えてディスク装置１０におけるピックアップ３１（図６参照）に配設されたレンズをクリーニング可能に構成されている。この場合、ディスク装置１０は、ＣＤ、ＤＶＤおよびＢＤ（Blu-ray Disc）等の各種の光ディスク（一例として、図５に示す光ディスク１００）に記録された記録データの再生、および光ディスク１００等に対する記録データの記録が可能に構成された記録再生装置であって、図６に示すように、光ディスク１００等を載置可能に構成されたディスクトレイ１１と、光ディスク１００等をクランプ可能に構成されたディスククランプ機構２１と、光ディスク１００等からの記録データの読み出し（または、光ディスク１００等に対する記録データの記録）を行うピックアップ３１と、これらを総括的に制御する制御部（図示せず）とを備えている。
【００１８】
ディスクトレイ１１は、図示しないディスクローディング機構の一部を構成するパーツであって、図４に示すように、光ディスク１００等を載置可能な載置板１２を備え、この載置板１２が装置本体（ディスククランプ機構２１やピックアップ３１などが収容されている筐体）に対して矢印Ａ１，Ａ２の向きで進退動が可能に配設されている。また、載置板１２には、直径１２ｃｍの光ディスク（例えば、上記の光ディスク１００等）をセット可能な円形凹部１２ａが形成されると共に、直径８ｃｍの光ディスク（図示せず）をセット可能な円形凹部１２ｂが円形凹部１２ａの底面に形成されている。さらに、載置板１２には、その奥側（装置本体側：同図において奥側）の端部から中央部にかけて、載置板１２上に載置された光ディスク１００等に対するディスククランプ機構２１やピックアップ３１のディスクアクセスを許容するための開口部１３が設けられている。
【００１９】
ディスククランプ機構２１は、図５に示すように、図示しないモータに取り付けられたターンテーブル２２、およびターンテーブル２２と相俟って光ディスク１００等をクランプする押圧プレート２３を備えている。ターンテーブル２２は、その直径Ｌ１２が光ディスク１００等におけるクランプ領域Ａｃの直径Ｌ１１（一例として、３２ｍｍ）よりも僅かに小さい３１ｍｍとなるように形成されると共に、その回転中心には、光ディスク１００等における装着用中心孔１００ａに嵌入して位置決めするセンターピン２２ａが設けられている。押圧プレート２３は、ターンテーブル２２と同様にして、その直径Ｌ１２が光ディスク１００等におけるクランプ領域Ａｃの直径Ｌ１１よりも僅かに小さい３１ｍｍとなるように形成されている。なお、以下の説明においては、ターンテーブル２２および押圧プレート２３を総称してクランプ部材２１ａともいう。
【００２０】
ピックアップ３１は、光ディスク１００等に向けてレーザービームを照射すると共に光ディスク１００等によって反射されたレーザービームを受光するためのレンズ（図示せず）を備えている。この場合、実際には、レンズの周囲にレンズプロテクタ等が配設されているが、本発明についての理解を容易とするために、このプロテクタについての説明を省略する。
【００２１】
一方、図１〜３に示すように、ディスク本体２は、上記の光ディスク１００等とほぼ同じ直径（一例として、１２０ｍｍ程度）で、かつほぼ同じ厚み（一例として、１．２ｍｍ程度）の円板状に形成されている。この場合、このレンズクリーナ１では、一例として、片面１層タイプのＤＶＤと同様にして、０．６ｍｍ程度の薄厚基板を貼り合わせてディスク本体２が構成されている。また、両薄厚基板の間（ディスク本体２における厚み方向の中央部）における環状領域２ｄ（ディスク本体２の中心をその中心とする環状の領域：図２参照）には、ディスク本体２の一面（図１における下面：以下、この面を「記録面２ａ」ともいう）の側からの読み出しが可能に、ディスク装置に対してレンズクリーナ１をＤＶＤであると認識させるＴＯＣ（Table Of Contents ）情報（ディスク情報）等が記録されている。また、図３に示すように、ディスク本体２の他面（図１における上面：以下、この面を「レーベル面２ｂ」ともいう）には、本発明におけるマークに相当する矢印５ａ〜５ｄ、およびレンズクリーナ１の使用方法等を示す文字（図示せず）等が印刷されている。なお、矢印５ａ〜５ｄの印刷位置については、後に詳細に説明する。
【００２２】
さらに、ディスク本体２の中心部には、ディスク装置１０におけるディスククランプ機構２１のクランプ部材２１ａを挿通可能とする挿通孔２ｃが形成されている。この場合、挿通孔２ｃの直径（内径）Ｌ１は、ディスク装置１０におけるクランプ部材２１ａの直径Ｌ１２（この例では、３１ｍｍ）以上で、かつ、上記の光ディスク１００等におけるクランプ領域Ａｃの直径Ｌ１１（この例では、３２ｍｍ）以上となるように形成されている。これにより、後述するようにこのレンズクリーナ１をディスク装置１０にセットした際に、クランプ部材２１ａ（ターンテーブル２２および押圧プレート２３）によるレンズクリーナ１のクランプが不能となるため、ディスク装置１０に対して再生処理や記録処理を実行させたとしても、装置内部においてレンズクリーナ１が回転することなく静止状態が維持される。
【００２３】
この場合、この種のディスク装置１０において使用される光ディスクでは、上記のクランプ領域Ａｃが２２ｍｍ以上３３ｍｍ以下の範囲内となるように規定されている。したがって、クランプ部材２１ａの直径Ｌ１１は、光ディスクの種類に応じて、上記の規定範囲よりも僅かに小さい２１ｍｍ程度から３２ｍｍ程度のうちのいずれかの長さとなっている。このため、挿通孔２ｃの直径Ｌ１をクランプ部材２１ａの直径Ｌ１１の上限値（この例では、３２ｍｍ）よりも僅かに大きくすることで、各種の光ディスクの再生が可能な各種のディスク装置においてディスククランプ機構２１によるレンズクリーナ１のクランプを不能な状態とすることができる。
【００２４】
この場合、挿通孔２ｃを必要以上に大きく形成したときには、前述した環状領域２ｄをレンズクリーナ１に設けることができず、ディスク装置１０に対してレンズクリーナ１をＤＶＤであると認識させることが困難となるおそれがある。したがって、挿通孔２ｃの直径Ｌ１については、クリーニング対象のディスク装置１０において使用される光ディスクの環状領域２ｄ（ＴＯＣ情報等が記録されている環状の領域）の内径以下の長さで、かつその光ディスクにおけるクランプ領域の直径以上の長さとなるように規定するのが好ましい。
【００２５】
また、図１，２に示すように、ディスク本体２の記録面２ａには、４つの払拭体３ａ〜３ｄが配設されてクリーニング部３が構成されている。この場合、このレンズクリーナ１では、一例として、その直径Ｌ２が１４ｍｍ程度で、その厚みＴ１が３ｍｍ程度の平面視円形状の不織布（本発明における布帛：一例として、クラレ社製の商品名「ソフィスタ（登録商標）」）で各払拭体３ａ〜３ｄが構成されている。また、このレンズクリーナ１では、ディスク本体２の中心Ｏからの距離が等しい同一半径位置において各払拭体３ａ〜３ｄが相互に離間するように配設されてクリーニング部３が構成されている。具体的には、ＴＯＣ情報等が記録されている上記の環状領域２ｄに各払拭体３ａ〜３ｄの内周側の端部が重なると共に、各払拭体３ａ〜３ｄの配設位置の中心Ｏに対する方向が９０°ずつ相違するように（つまり、同図において反時計方向回りで９０°置きに位置するように）各払拭体３ａ〜３ｄが配設されている。この場合、このレンズクリーナ１では、一例として、各払拭体３ａ〜３ｄが接着剤によって記録面２ａに接着されている。
【００２６】
また、図３に示すように、このレンズクリーナ１では、上記したように、ディスク本体２のレーベル面２ｂに矢印５ａ〜５ｄが印刷されている。この矢印５ａ〜５ｄは、ディスク本体２の中心Ｏに対する各払拭体３ａ〜３ｄの配設位置の方向を特定させるためのマークであって、同図に示すように、中心Ｏに対する払拭体３ａの配設位置の方向を特定可能に矢印５ａが記され、中心Ｏに対する払拭体３ｂの配設位置の方向を特定可能に矢印５ｂが記され、中心Ｏに対する払拭体３ｃの配設位置の方向を特定可能に矢印５ｃが記され、中心Ｏに対する払拭体３ｄの配設位置の方向を特定可能に矢印５ｄが記されている。これにより、このレンズクリーナ１では、レーベル面２ｂに印刷されている矢印５ａ〜５ｄを見るだけで記録面２ａに配設されている払拭体３ａ〜３ｄの位置を特定することが可能となっている。
【００２７】
さらに、図１，２に示すように、ディスク本体２の記録面２ａには、本発明における接着部材に相当する４つの粘着部材４が配設されている。この場合、このレンズクリーナ１では、一例として、その直径Ｌ３が１０ｍｍ程度で、厚みＴ２が３ｍｍ程度の平面視円形状の粘着シート（一例として、シート状のシリコン／アクリル粘着樹脂）で各粘着部材４が構成されている。また、このレンズクリーナ１では、各粘着部材４における内周側の端部がディスク本体２の中心Ｏからの距離が４０ｍｍ以上５０ｍｍ以下の範囲内で離間するように各粘着部材４が配設されている。したがって、図７に示すように、このレンズクリーナ１をディスクトレイ１１に載置したときには、各粘着部材４がディスクトレイ１１の載置板１２における円形凹部１２ａの底面に接した状態となる。なお、上記の粘着部材４に代えて、ディスクトレイ１１の載置板１２（円形凹部１２ａの底面）に吸着可能な吸盤を本発明における接着部材としてディスク本体２の記録面２ａに配設する構成を採用することもできる。
【００２８】
次に、レンズクリーナ１を用いて、ディスク装置１０におけるピックアップ３１のレンズをクリーニングする方法について、図面を参照して説明する。
【００２９】
まず、ディスク装置１０のイジェクトボタン（図示せず）を操作することにより、装置本体からディスクトレイ１１を排出させる。次いで、図７に示すように、光ディスク１００等をセットする際と同様にして、ディスクトレイ１１における載置板１２の円形凹部１２ａ内に記録面２ａを下向きにしてレンズクリーナ１をセットする。この際には、一例として、ディスク装置１０に対する光ディスク１００やレンズクリーナ１の挿入方向（ピックアップ３１が存在する方向：同図に示す矢印Ａ１の向き）に矢印５ａを合わせて載置板１２上にレンズクリーナ１を載置すると共に、載置したレンズクリーナ１を載置板１２に向けて押し付ける。これにより、開口部１３の幅方向における中央部に払拭体３ａが位置した状態において、粘着部材４が円形凹部１２ａの底面に密着してディスクトレイ１１にレンズクリーナ１が固定される。
【００３０】
この状態において、イジェクトボタンを再度操作すると、ディスクローディング機構によってディスクトレイ１１が装置本体内に引き込まれる。この際には、ディスクトレイ１１と共に装置本体内に引き込まれたレンズクリーナ１の中心Ｏがディスククランプ機構２１における回転中心（センターピン２２ａの中心）と一致させられる。次いで、ディスククランプ機構２１のターンテーブル２２が押圧プレート２３に向けて上動させられることにより、ディスクトレイ１１上のレンズクリーナ１をクランプしようとする。この際に、このレンズクリーナ１では、前述したように、ディスク本体２の中心部に直径Ｌ１がクランプ部材２１ａの直径Ｌ１２よりも大きい挿通孔２ｃが形成されているため、押圧プレート２３に向けて上動したターンテーブル２２は、レンズクリーナ１のディスク本体２に接触することなく、押圧プレート２３に当接する（クランプ部材２１ａが挿通孔２ｃを挿通させられた状態：図６参照）。
【００３１】
続いて、ディスク装置１０の制御部は、図示しない回転機構を制御してターンテーブル２２の回転を開始させる。この際に、ディスククランプ機構２１によってクランプされることなくディスクトレイ１１上に載置された状態のレンズクリーナ１は、ターンテーブル２２の回転に伴って回転することなく、静止した状態を維持する。
【００３２】
この場合、ディスク装置のなかには、光ディスク１００等がセットされた際に、レンズクリーナ１における環状領域２ｄに対応する領域からディスク種別特定用のディスク情報を読み出して再生処理が可能なディスク種別ではないと判定した際に、エラー停止して以後の動作を継続しない装置が存在する。したがって、例えば、環状領域２ｄの全域に払拭体（布帛等）が配設されてディスク情報の読み出しが不能な状態となっているときには、この種のディスク装置において、後述するクリーニング処理が実行されることなく、エラー停止してしまう。これに対して、このレンズクリーナ１では、前述したように、払拭体３ａ〜３ｄが環状領域２ｄの位置において相互に離間するように配設されて各払拭体３ａ〜３ｄの間において環状領域２ｄが露出している。したがって、上記のようなディスク装置においても、ディスク情報が読み出されて以後の処理が継続して実行される。
【００３３】
次いで、制御部は、ディスクローディング時における初期動作の一環として、図示しないサーボ機構を制御することにより、ピックアップ３１をレンズクリーナ１の環状領域２ｄに移動させてディスク種別の判定処理を実行しようとする。この場合、制御部の制御下で環状領域２ｄの部位に移動させられたピックアップ３１は、上下方向（レンズクリーナ１の厚み方向）およびシーク方向（レンズクリーナ１の半径方向）にレンズを移動させる。この際に、図６に示すように、ピックアップ３１の上方に払拭体３ａが位置しているため、上下方向およびシーク方向に移動させられたレンズが払拭体３ａの表面に擦り付けられる。この結果、レンズの表面に付着している塵埃が払拭されてレンズがクリーニングされる。
【００３４】
この場合、このレンズクリーナ１では、記録面２ａに配設された各粘着部材４によってレンズクリーナ１がディスクトレイ１１に接着されているため、レンズが上方に移動させられた際にレンズクリーナ１がレンズと共に上動することなく、円形凹部１２ａ内にセットされた状態が維持される。したがって、払拭体３ａに対して十分に強い力でレンズが押し付けられる。また、レンズがシーク方向に移動させられた際にもレンズクリーナ１がレンズと共にシーク方向に移動することなく、円形凹部１２ａ内にセットされた状態が維持される。したがって、払拭体３ａに対して十分に強い力で押し付けられた状態でレンズが移動する結果、レンズの表面に塵埃が強固に付着していたとしても、確実に除去される。この後、制御部は、レンズクリーナ１からのディスク情報の読み取りが不能と判別して、回転機構およびピックアップ３１を制御して動作を停止させると共に、ディスクローディング機構を制御してディスクトレイ１１を排出させる。これにより、ディスクトレイ１１からのレンズクリーナ１の取り外しが可能な状態となる。
【００３５】
一方、クリーニング処理の完了時から所定期間が経過してピックアップ３１のレンズに再び塵埃が付着したときには、上記の一連の手順と同様にしてレンズクリーナ１をディスクトレイ１１にセットしてクリーニング処理を実行させる。この際には、一例として、ディスク装置１０に対するレンズクリーナ１の挿入方向に矢印５ｂを合わせて載置板１２上にレンズクリーナ１を載置すると共に、載置したレンズクリーナ１を載置板１２に向けて押し付ける。これにより、開口部１３の幅方向における中央部に払拭体３ｂが位置した状態において、粘着部材４が円形凹部１２ａの底面に密着してディスクトレイ１１にレンズクリーナ１が固定される。したがって、イジェクトボタンの操作によってディスクトレイ１１が装置本体内に引き込まれた際には、前述した払拭体３ａに代えて払拭体３ｂがピックアップ３１の上方に位置することとなり、この払拭体３ｂにレンズが擦り付けられることで塵埃が払拭される。
【００３６】
この場合、このレンズクリーナ１では、矢印５ａ〜５ｄの中央部に「１」〜「４」の数字が記されているため、前回利用した際に位置合わせした矢印の数字（この例では、矢印５ａの「１」）を覚えておくことで、次に使用する際に、他の払拭体３ａ〜３ｄを利用したクリーニングを行うことが可能となる。このように、クリーニング処理を実行する都度、払拭体３ａ〜３ｄを順次利用することで、払拭した塵埃で例えば払拭体３ａのみが汚れて使用不能な状態となるのを回避することができる。
【００３７】
このように、このレンズクリーナ１では、クランプ部材２１ａを挿通可能とする挿通孔２ｃが中心部に形成されたディスク本体２と、ディスク本体２の記録面２ａに配設された払拭体３ａ〜３ｄを有するクリーニング部３とを備えたことにより、レンズクリーナ１をディスク装置１０にセットした際に、ディスククランプ機構２１によるレンズクリーナ１に対するクランプが阻止される結果、ディスク装置１０内でのレンズクリーナ１の回転も阻止される。したがって、ディスクローディング時における初期動作の一環としてレンズが移動させられたときに払拭体３ａ〜３ｄのうちのいずれかにレンズを擦り付けてクリーニングすることができるため、このレンズクリーナ１によれば、ディスクを回転させてレンズに対して払拭体を順次当接させて塵埃を払拭する構成の従来のレンズクリーナとは異なり、ピックアップ３１に対して回転方向に沿った大きな力が加えられる事態を回避することができるため、ディスク装置１０の故障を招くことなく、レンズに付着している塵埃を確実に除去することができる。
【００３８】
また、このレンズクリーナ１では、ディスク本体２における記録面２ａに粘着部材４を配設したことにより、レンズの移動に伴うレンズクリーナ１の移動が回避されて、払拭体３ａ〜３ｄに対してレンズが十分に強い力で押し付けられる。したがって、このレンズクリーナ１によれば、レンズの表面に強固に付着している塵埃を確実に除去することができる。
【００３９】
さらに、このレンズクリーナ１によれば、払拭体３ａ〜３ｄを複数備えると共に各払拭体３ａ〜３ｄをディスク本体２の記録面２ａにおける同一半径位置において相互に離間するように配設してクリーニング部３を構成したことにより、ディスク本体２の記録面２ａに記録されているディスク情報の読み取りが不能となる状態を回避できるため、各種のディスク装置において、レンズクリーナ１を用いたレンズのクリーニング処理を実行させることができる。
【００４０】
また、このレンズクリーナ１によれば、ディスク本体２の中心に対する各払拭体３ａ〜３ｄの配設位置の方向を特定可能な矢印５ａ〜５ｄ（マーク）をディスク本体２のレーベル面２ｂに記したことにより、ディスクトレイ１１に対してレンズクリーナ１をセットする際に、払拭体３ａ〜３ｄの配設位置を容易に特定させることができる。したがって、払拭体３ａ〜３ｄのいずれに対してもレンズが接触しない位置にレンズクリーナ１がセットされる事態を回避することができる結果、払拭体３ａ〜３ｄのうちの所望の１つに対してレンズを確実に接触させてクリーニングすることができる。
【００４１】
さらに、このレンズクリーナ１によれば、布帛（この例では、不織布）を備えて払拭体３ａ〜３ｄを構成したことにより、ピックアップ３１のレンズが払拭体３ａ〜３ｄに対して強く押し付けられたとしても、払拭体３ａ〜３ｄにへたりが生じる事態を回避することができるため、複数回に亘って払拭体３ａ〜３ｄを利用してクリーニングすることができる。
【００４２】
なお、本発明は上記の構成に限定されない。例えば、本発明における布帛の一例である不織布によって払拭体３ａ〜３ｄを構成した例について説明したが、不織布に代えて織布によって払拭体を構成したり、複数の繊維を束ねたブラシによって払拭体を構成することもできる。このような構成でも、前述したレンズクリーナ１と同様にして、ピックアップ３１の破損を招くことなく、レンズを確実にクリーニングすることができる。また、４つの払拭体３ａ〜３ｄを備えて構成した例について説明したが、本発明における払拭体の数はこれに限定されず、１つまたは２つ以上の任意の数の払拭体を記録面２ａに配設してクリーニング部を構成することができる。この場合、記録面２ａに配設した払拭体の数と、その配設位置とに応じて、本発明におけるマークをレーベル面２ｂに記すのが好ましい。
【００４３】
また、本発明におけるマークとしてレーベル面２ｂに矢印５ａ〜５ｄを印刷したレンズクリーナ１について説明したが、ディスク本体２の中心Ｏに対する払拭体３ａ〜３ｄの配設位置の方向が特定可能である限り、矢印以外の各種のマークを矢印５ａ〜５ｄに代えてまたは矢印５ａ〜５ｄと共にレーベル面２ｂに印刷することができる。さらに、本発明における接着部材は必須の構成要素ではなく、ディスク本体２およびクリーニング部３の自重によって払拭体３ａ〜３ｄをレンズに押し付ける構成を採用することもできる。加えて、乾式のレンズクリーナ１について説明したが、本発明に係るレンズクリーナはこれに限定されず、湿式のレンズクリーナに適用することができる。
【図面の簡単な説明】
【００４４】
【図１】レンズクリーナ１の断面図である。
【図２】記録面２ａ側から見たレンズクリーナ１の平面図である。
【図３】レーベル面２ｂ側から見たレンズクリーナ１の平面図である。
【図４】ディスク装置１０におけるディスクトレイ１１の外観斜視図である。
【図５】ディスク装置１０におけるディスククランプ機構２１および光ディスク１００の断面図である。
【図６】クリーニング処理時におけるディスク装置１０およびレンズクリーナ１の断面図である。
【図７】ディスクトレイ１１上にセットした状態のレンズクリーナ１およびディスクトレイ１１の平面図である。
【符号の説明】
【００４５】
１  レンズクリーナ
２  ディスク本体
２ａ  記録面
２ｂ  レーベル面
２ｃ  挿通孔
２ｄ  環状領域
３  クリーニング部
３ａ〜３ｄ  払拭体
４  粘着部材
５ａ〜５ｄ  矢印
１０  ディスク装置
１１  ディスクトレイ
２１  ディスククランプ機構
２１ａ  クランプ部材
２２  ターンテーブル
２３  押圧プレート
３１  ピックアップ
Ａｃ  クランプ領域
Ｌ１〜Ｌ３，Ｌ１１，Ｌ１２  直径
Ｏ  中心
【図１】
2008165907.tif 000003
【図２】
2008165907.tif 000004
【図３】
2008165907.tif 000005
【図４】
2008165907.tif 000006
【図５】
2008165907.tif 000007
【図６】
2008165907.tif 000008
【図７】
2008165907.tif 000009